(57)【特許請求の範囲】
【請求項１】
前面部および上面部に吸込口を備えたケーシングと、同ケーシング内のフレーム部に備えた移動経路に移動可能に保持されたフィルタと、同フィルタを駆動し清掃する清掃装置と、前部熱交換器および後部熱交換器からなる熱交換器とを備えてなる空気調和機において、
前記フレーム部は、前記熱交換器の前方側および上方側に対応する前部フレームと、前記後部熱交換器の後方側に対応する後部フレームとに分割形成され、同後部フレームに前記前部フレームが接離可能に取り付けられてなり、
前記前部フレームに設けられた前部移動経路と、前記後部フレームに設けられた後部移動経路とは、上下および前後方向に離間するよう切離部を介して配置され、かつ前記前部移動経路の下側後端が、前記後部移動経路の下側前端よりも上方かつ前方に設けられており、
前記フィルタは、空気調和機の運転時には後部熱交換器から離間した位置に配置され、フィルタの清掃時には後部熱交換器側に移動することを特徴とする空気調和機。
【請求項２】
前記前部フレームに備えた移動経路は、その下端部からＵ字状に折り返されて形成されることを特徴とする請求項１に記載の空気調和機。
【発明の詳細な説明】
【技術分野】
【０００１】
本発明は、空気調和機に係わり、より詳細には、フィルタの移動経路を備えたフレーム部の構造に関する。
【背景技術】
【０００２】
従来の空気調和機は、フィルタ清掃のメンテナンスが容易なものとして、例えば図７に示すように、ケーシングａ内の熱交換器ｂの前方側に形成された空間に、フィルタ移動のためのＵ字状の移動経路ｃを設け、移動経路ｃはガイド手段ｄにより形成され、ガイド手段ｄにフィルタｅの両端部が保持され、Ｕ字状の移動経路ｃの内側に駆動手段ｆが設けられ、フィルタｅを前後方向に往復移動させ、また、移動経路ｃの途中に清掃装置ｇが設けられ、フィルタｅの清掃を行うようにしてなるものが開示されていた（例えば、特開２００７−１００９７５号公報参照。）。
【０００３】
上述した構成により、例えば熱交換器ｂのメンテナンスや取り外しをする場合、移動経路ｃを備えたフレーム部ｈを熱交換器ｃに接触させることなく前方に引き出しながら取り外して、熱交換器ｂの前方を開放できるようになっている。
【０００４】
しかしながら、上述した移動経路ｃの一部が、例えば、図７に示す熱交換器ｂの後部形状に沿って下方に傾斜させた構成でなる場合には、熱交換器ｂに接触させることなく移動経路ｃを備えたフレーム部ｈを前方に引き出すために、このフレーム部ｈを一旦上方に大きく持ち上げて熱交換器ｂの上方を通過させながら引き出すことになることから、空気調和機本体を室内壁面の上位部に壁掛け設置する際、天井面との間に大きい隙間を確保して上方への持ち上げを可能にする必要があることから、空気調和機本体を、天井面に対し例えば５センチメートル程度の隙間に近接させて設置することができなくなるという問題点があった。
【０００５】
そのため、移動経路ｃの一部が室内熱交換器ｂの後部形状に沿って下方に傾斜した構成であっても、この移動経路ｃを備えたフレーム部ｈを上方に大きく持ち上げることなく、前方に引き出しながら取り外しできるように構成して、熱交換器ｂのメンテナンスや取り外しを容易に行えるようにすることが望まれていた。
【特許文献１】特開２００７−１００９７５号公報
【発明の開示】
【発明が解決しようとする課題】
【０００６】
そこで、本発明は上述した課題を解決するためになされたものであって、その目的は、フィルタの移動経路を備えたフレーム部を大きく持ち上げることなく前方に取り外し可能な構成にして、熱交換器のメンテナンスや取り外しを容易に行えるようにした空気調和機を提供することにある。
【課題を解決するための手段】
【０００７】
上述した目的を達成できるように、フィルタの移動経路を備えたフレーム部を大きく持ち上げることなく前方に取り外し可能にし、熱交換器のメンテナンスや取り外しを容易に行えるようにするため、本発明は以下に示す特徴を備えている。
【０００８】
前面部および上面部に吸込口を備えたケーシングと、同ケーシング内のフレーム部に備えた移動経路に移動可能に保持されたフィルタと、同フィルタを清掃する清掃装置と、前部熱交換器および後部熱交換器からなる熱交換器とを備えてなる空気調和機において、
前記フレーム部は、前記熱交換器の前方側および上方側に対応する前部フレームと、前記後部熱交換器の後方側に対応する後部フレームとに分割形成され、同後部フレームに前記前部フレームが接離可能に取り付けられてなることを特徴としている。
【０００９】
また、前記前部フレームに備えた移動経路は、その下端部からＵ字状に折り返されて形成されることを特徴としている。
【発明の効果】
【００１０】
本発明によれば、フィルタの移動経路を備えたフレーム部を大きく持ち上げることなく前方に取り外し可能になり、熱交換器のメンテナンスや取り外しを容易に行えるようにした空気調和機を提供できる。
【発明を実施するための最良の形態】
【００１１】
次に、本発明の実施形態について図面を参照しながら説明する。
【００１２】
図１は本発明による空気調和機の説明図で、（Ａ）は外観斜視図、（Ｂ）は断面図であり、図２は本発明による空気調和機の説明図で、（Ａ）は開閉グリルを取り外した斜視図、（Ｂ）は開閉グリルと吸込グリルを取り外した斜視図であり、図３はフィルタの清掃位置を示す要部説明図で、（Ａ）はフィルタを熱交換器の前方側に移動させた状態を示す断面図、（Ｂ）は後方側に移動させた状態を示す断面図であり、図４は本発明による空気調和機の要部説明図で、（Ａ）は前部フレームおよび後部フレームからなるフレーム部の斜視図、（Ｂ）は後部フレームから前部フレームが離脱する状態を示す斜視図であり、図５は図１（Ａ）に示すＡーＡ断面図であり、図６は本発明による空気調和機の要部説明図で、（Ａ）は清掃装置を付設したフィルタの斜視図、（Ｂ）は図６（Ａ）に示すＢーＢ断面図である。
【００１３】
本発明による空気調和機は、図１（Ａ）および図１（Ｂ）と、図２（Ａ）および図２（Ｂ）と、図３（Ａ）および図３（Ｂ）と、図４（Ａ）および図４（Ｂ）とに示すように、吸込グリル１５ａを上面に備えたケーシング１５内に設けられたフレーム部１が、熱交換器９の両側を支持する支持部１ａを備えた左右の支持板１ｂと、同支持板１ｂを連結する連結板１ｃとからなる後部フレーム１ｄと、同後部フレーム１ｄの下部に送風ケーシング１ｅを接合してなるベース部１ｆと、前記後部フレーム１ｄの前部に、前記熱交換器９の頂部に対応する接離部Ｐにおいて接離可能となるように取り付けられた前部フレーム１ｇとからなる構成になっている。
【００１４】
前記前部フレーム１ｇの上面部および前面部に設けられた吸込口２と、前記送風ケーシング１ｅの前端部に設けられた吹出口３とを結ぶ空気通路には、前記吸込口２の内面側に沿って配され前後方向の中間位置に清掃装置５を備えた板状のフィルタ４と、前部熱交換器７と後部熱交換器８とで断面逆Ｖ字状に形成され、等間隔で平行に並べられた多数のフィンおよびこのフィンに直交する伝熱管９ａからなる前記熱交換器９と、送風ファン１１とが設けられている。
【００１５】
なお、前記前部フレーム１ｇの前面部に設けられた吸込口２は、図１（Ｂ）に、前面パネル１６に備えた開閉グリル１６ａの開放位置を二点鎖線で示すように、同開閉グリル１６ａを矢印のように回動することによって開放され、前記上面部の吸込口２から吸い込まれるのと同時に被空調室の空気を吸い込めるようになっている。
【００１６】
前記吸込口２から吸い込まれた空気は、この吸込空気中に含まれた塵埃が前記フィルタ４により捕捉されることによって清浄化されたのち、前記熱交換器９により熱交換されて前記送風ファン１１により前記吹出口３に送出されるようになっている。
【００１７】
前記吹出口３には、左右方向の風向を偏向する左右風向板１２と、上下方向の風向を偏向するディフューザ１３および上下風向板１４とが回動自在に軸支されている。
【００１８】
前記フィルタ４は、図６（Ａ）および図６（Ｂ）に示すように、枠部４ｂの内側に塵埃を捕捉するための網部４ａが張設され、両側部にはラックからなる従動歯車４ｃを備えた構成になっており、また、同フィルタ４に捕捉されてその表面に付着した塵埃を除去するため、同フィルタ４の前後方向の中間位置に前記清掃装置５が着脱可能に付設される構成になっている。
【００１９】
前記従動歯車４ｃには、前記フィルタ４を移動させるための駆動手段として前記前部フレーム１ｇに設けられ、図２（Ａ）および図２（Ｂ）に示すフィルタ駆動部１８に連係された図示しない駆動歯車が歯合しており、前記フィルタ４の清掃時に、前記フィルタ駆動部１８で駆動される駆動歯車に歯合した前記従動歯車４ｃにより、前記フィルタ４が前記清掃装置５を通過しながら移動する構成になっている。
【００２０】
前記清掃装置５は、図１（Ｂ）に示すように、前記フィルタ４の前端部および後端部間の中間位置に設けられており、また、同フィルタ４は、図１（Ｂ）に示す領域Ａの位置に、前記吸込口２の内面側に沿って前記前部フレーム１ｇに形成された移動経路６により、前記前部熱交換器７の前方側に形成された空間内と、前記前部熱交換器７および前記後部熱交換器８の上方側とで移動可能であり、同時に、前記後部フレーム１ｄに形成された移動経路６により、前記後部熱交換器８の後方側に形成された空間内で移動可能に保持されている。
【００２１】
なお、前記清掃装置５は前記前部フレーム１ｇに着脱可能に取り付けられ、図２（Ａ）および図２（Ｂ）と、図６（Ａ）および図６（Ｂ）とに示すように、前記フィルタ４に付着した塵埃を除去するためのブラシ５ａと、同ブラシ５ａを駆動するブラシ駆動モータ５ｂと、前記ブラシ５ａで除去した塵埃を貯留する貯留部５ｃとを備えており、同貯留部５ｃに貯留された塵埃は、前記清掃装置５を所定の清掃運転時間毎に前記フィルタ４から取り外したのち、外部に取り出されて廃棄されることになる。
【００２２】
前記フィルタ４は、図１（Ｂ）に示す領域Ａの位置に装着されることで、前記清掃装置５の前部の範囲が前記前部フレーム１ｇの前面部に設けられた前記吸込口２に対向し、前記清掃装置５の後部の範囲が前記前部フレーム１ｇの上面部に設けられた前記吸込口２に対向するようになっている。
【００２３】
前記フィルタ４は可撓性を有する一方、前記熱交換器９の前方側および上方側に対応して、前記前部フレーム１ｇに設けられた前記フィルタ４の移動経路６は、その下端部からＵ字状に折り返されて形成されている。これにより、前記フィルタ４は、前記清掃装置５の後部の範囲を清掃する際、Ｕ字状に折り返されて形成された前記前部フレーム１ｇの移動経路６に沿って、図１（Ｂ）に破線で示すように、その前端部４’の側から移動することになる。
【００２４】
その際、前記フィルタ４は、前記前部フレーム１ｇにＵ字状に折り返されて形成された前記移動経路６に沿って移動しながら、図３（Ａ）に両矢印Ｂで範囲を示す位置まで移動する。
【００２５】
これにより、前記フィルタ４は、前記清掃装置５の後部の範囲が同清掃装置５に備えたブラシ５ａによって清掃されることになり、除去された塵埃が前記貯留部５ｃに貯留されることになる。
【００２６】
また、前記フィルタ４は可撓性を有する一方、前記後部熱交換器８の後方側に対応して、前記後部フレーム１ｄに設けられた前記フィルタ４の移動経路６は、その後端部から下方に折り曲げられて形成されている。これにより、前記フィルタ４は、前記清掃装置５の前部の範囲を清掃する際、下方に折り曲げられて形成された前記後部フレーム１ｄの移動経路６に沿って、図１（Ｂ）に破線で示すように、その後端部４’’の側から移動することになる。
【００２７】
その際、前記フィルタ４は、前記後部フレーム１ｄに下方に折り曲げられて形成された前記移動経路６に沿って移動しながら、図３（Ｂ）に両矢印Ｃで範囲を示す位置まで移動する。
【００２８】
これにより、前記フィルタ４は、前記清掃装置５の前部の範囲が同清掃装置５に備えたブラシ５ａによって清掃されることになり、除去された塵埃が前記貯留部５ｃに貯留されることになる。
【００２９】
前記移動経路６は、図１（Ｂ）と、図３（Ａ）および図３（Ｂ）とに示すように、前記フィルタ４が移動できるように、前記熱交換器９を構成する前部熱交換器７の前方側と、同前部熱交換器７および前記後部熱交換器８の上方側とに対応する前記前部フレーム１ｇに形成され、且つ、前記後部熱交換器８の後方側に対応する前記後部フレーム１ｄに形成されている。
【００３０】
より詳細には、前記移動経路６の一部が、前記前部熱交換器７の前方側に形成された空間に対応する前記前部フレーム１ｇと、前記後部熱交換器８の後方側に形成された空間に対応する前記後部フレーム１ｄとに設けられ、断面コ字状に形成されたガイド手段１０からなる構成になっている。
【００３１】
また、前記移動経路６の他の部分は、前記前部熱交換器７および前記後部熱交換器８の上方側に対応する前記前部フレーム１ｇに設けられ、図５に示す底面１０ａおよび側面１０ｂにより断面Ｌ字状に形成された補助ガイド手段と、この補助ガイド手段をなす前記底面１０ａに対向する前記吸込グリル１５ａの裏面１５ｂとからなる構成になっている。
【００３２】
そして、前記移動経路６は、前記後部熱交換器８の後方側に形成された空間に対応する前記後部フレーム１ｄに設けられたガイド手段１０が、前記前部熱交換器７の前方側に形成された空間に対応する前記前部フレーム１ｇに設けられたガイド手段１０に連続形成され、これら前部熱交換器７および後部熱交換器８の上方側における前記底面１０ａおよび前記側面１０ｂからなる補助ガイド手段と、前記接離部Ｐにおいて接離可能となるように分割形成されてなり、図４（Ｂ）に示す矢印Ａのように前方に取り外し可能な前記前部フレーム１ｇが、前記送風ケーシング１ｃの上部に接合されてベース部１ｆを構成した前記後部フレーム１ｄに着脱可能に取り付けられることになる。
【００３３】
これにより、例えば前記移動経路６を備えた前記前部フレーム１ｇを前方に取り外す際、同前部フレーム１ｇ側の前記接離部Ｐが、前記熱交換器９の上端部に設けられた図５に示すフィルタガイド１７に凸設した凸部１７ａの上方を通過するように、前記前部フレーム１ｇを図１（Ｂ）に示す高さＨだけ上方に持ち上げることで取り外すことができる。
【００３４】
空気調和機の室内機を被空調室の壁面に壁掛け設置する場合、被空調室の天井面と室内機の上面との間は、約５センチメートル程度の隙間を確保するのが一般的であり、前記高さＨは、この約５センチメートル程度の隙間より小さくなるように構成されている。
【００３５】
また、前記前部フレーム１ｇの上面部に設けられた前記吸込口２に対応する前記吸込グリル１５の下部には、前記フィルタ４をガイドする底面１０ａおよび側面１０ｂからなる断面Ｌ字状の補助ガイド手段が設けられており、この補助ガイド手段に沿って、図５に二点鎖線で示す前記フィルタ４の両側下面および両側端が円滑にガイドされて移動できるようになっている。
【００３６】
その際、前記フィルタ４の両側上面は、図５に示すように、前記補助ガイド手段の底面１０ａに対向する前記吸込グリル１５ａの裏面１５ｂに沿って、円滑にガイドされて移動できるようになっている。
【００３７】
これにより、前記前部フレーム１ｇの上面部の吸込口２に対応する前記吸込グリル１５ａの下部における前記フィルタ４の両側部は、前記補助ガイド手段および前記吸込グリル１５ａの裏面１５ｂによって円滑にスライドできるように保持された構成になっており、とくに、前記フィルタ４の両側上面をガイドする手段を前記吸込グリル１５ａが兼ねているので、該箇所は前記底面１０ａおよび前記側面１０ｂからなる断面Ｌ字状の補助ガイド手段として形成すればよく、断面コ字状のガイド手段１０として形成しなくてもよい。
【００３８】
前記補助ガイド手段は、例えば断面コ字状に形成された場合には、同断面コ字形状の上面部に前記吸込グリル１５ａが重設された構成になるが、断面Ｌ字状に形成されることで、空気調和機の室内機として、前記上面部の厚みに相当する約３ミリメートル程度を削減し高さ寸法を小型化できて軽量化をはかれる構成になり、また、同断面コ字形状の上面部の厚みに相当する素材（合成樹脂）の使用量を低減できる構成になる。
【００３９】
なお、前記吸込グリル１５ａは、前記補助ガイド手段を断面コ字状に形成して、同断面コ字形状の上面部に重設される構成にしなくても、充分な強度をもたせることができるので強度不足になるおそれはない。
【００４０】
以上説明したように、本構成によれば、前記フレーム部１をなす前部フレーム１ｇの前面部および上面部に設けられた前記吸込口２に沿って装着され、前記清掃装置５を付設した前記フィルタ４を前後に移動させて清掃できるようになり、前記熱交換器９のメンテナンスや取り外し時には、上述した構成でなる前記移動経路６を備えた前記前部フレーム１ｇを前方に容易に取り外すことができて、同前部フレーム１ｇに取り付けられた前記ブラシ駆動モータ５ｂや前記フィルタ駆動部１８等のメンテナンスが行いやすくなり、また、前記前部熱交換器７の前面側を大きく開放できるようにした空気調和機となる。
【図面の簡単な説明】
【００４１】
【図１】本発明による空気調和機の説明図で、（Ａ）は外観斜視図であり、（Ｂ）は断面図である。
【図２】本発明による空気調和機の説明図で、（Ａ）は開閉グリルを取り外した斜視図であり、（Ｂ）は開閉グリルと吸込グリルを取り外した斜視図である。
【図３】フィルタの清掃位置を示す要部説明図で、（Ａ）はフィルタを熱交換器の前方側に移動させた状態を示す断面図であり、（Ｂ）は後方側に移動させた状態を示す断面図である。
【図４】本発明による空気調和機の要部説明図で、（Ａ）は前部フレームおよび後部フレームからなるフレーム部の斜視図であり、（Ｂ）は後部フレームから前部フレームが離脱する状態を示す斜視図である。
【図５】図１（Ａ）に示すＡーＡ断面図である。
【図６】本発明による空気調和機の要部説明図で、（Ａ）は清掃装置を付設したフィルタの斜視図であり、（Ｂ）は図６（Ａ）に示すＢーＢ断面図である。
【図７】従来例による空気調和機の断面図である。
【符号の説明】
【００４２】
１  フレーム部
１ａ  支持部
１ｂ  支持板
１ｃ  連結板
１ｄ  後部フレーム
１ｅ  送風ケーシング
１ｆ  ベース部
１ｇ  前部フレーム
２  吸込口
３  吹出口
４  フィルタ
４ａ  網部
４ｂ  枠部
４ｃ  従動歯車
５  清掃装置
５ａ  清掃ブラシ
５ｂ  ブラシ駆動モータ
５ｃ  貯留部
６  移動経路
７  前部熱交換器
８  後部熱交換器
９  熱交換器
９ａ  伝熱管
１０  ガイド手段
１０ａ  底面
１０ｂ  側面
１１  送風ファン
１２  左右風向板
１３  ディフューザ
１４  上下風向板
１５  ケーシング
１５ａ  吸込グリル
１５ｂ  裏面
１６  前面パネル
１６ａ  開閉グリル
１７  フィルタガイド
１７ａ  凸部
１８  フィルタ駆動部
【図１】
0005040670.tif 000002
【図２】
0005040670.tif 000003
【図３】
0005040670.tif 000004
【図４】
0005040670.tif 000005
【図５】
0005040670.tif 000006
【図６】
0005040670.tif 000007
【図７】
0005040670.tif 000008